(57)【要約】【課題】  メンテナンスが容易で、位置合わせ時にケーブル断線などの弊害が発生しないプラグイン方式のコネクタ接続機構を備えた遊技台用台間機を提案すること。【解決手段】  遊技台用台間機６の台間機ホルダ１０にはガイドピン３５、３６が取り付けられ、その中継基板３２には前向きにホルダ側コネクタ３４が搭載されている。台間機本体２０の制御器２３の制御基板４１には後向きに本体側コネクタ４２が搭載され、制御器２３は台間機本体２０の本体ケース２１に台間機上下方向にスライド可能に取り付けられている。台間機本体２０を台間機ホルダ１０に差し込むと、ガイドピン３５、３６が制御器カバー６１のガイド穴６９、７０に差し込まれ、制御器２３が上下して双方のコネクタ３４、４２が自動的に位置決めされ、これらの接続状態が形成される。【選択図】  図３
2005342236.tif 000002
【特許請求の範囲】
【請求項１】
台間機ホルダと、
前記台間機ホルダに対して着脱可能な状態で差し込み固定されている台間機本体とを有し、
前記台間機ホルダは、通信用の中継器と、この中継器の中継基板に前向きに搭載されているホルダ側コネクタを備え、
前記台間機本体は、本体ケースと、この本体ケースに取り付けた台間機制御器と、この台間機制御器の制御基板に後向きに搭載されている本体側コネクタとを備え、
前記台間機制御器は、前記本体側コネクタの差し込み方向に直交する方向にスライド可能な状態で前記本体ケースに取り付けられており、
前記台間機本体を前記台間機ホルダに差し込むと、前記本体側コネクタが前記ホルダ側コネクタに差し込み固定された状態が形成される遊技台用台間機。
【請求項２】
請求項１において、
前記ホルダ側コネクタと前記本体側コネクタの位置合わせを行うために、前記台間機ホルダおよび前記台間機本体の前記台間機制御器のうちの一方に取り付けたガイドピンと、他方に取り付けたガイド穴とを有している遊技台用台間機。
【請求項３】
請求項２において、
前記台間機制御器は、一方の側面が開口となっている制御器カバーと、前記制御器カバーの開口を封鎖する状態に当該制御器カバーに取り付けられている前記制御基板と、前記本体側コネクタに対峙している前記制御器カバーの後端面部分に形成したコネクタ差し込み用開口部とを備えており、
前記制御器カバーが前記本体側コネクタの差し込み方向に直交する方向にスライド可能な状態で前記本体ケースに取り付けられている遊技台用台間機。
【請求項４】
請求項３において、
前記制御基板の裏面に積層配置した樹脂製シートを備え、
前記樹脂製シートが外側となる状態で、これら樹脂製シートおよび制御基板が前記制御器カバーに取り付けられている遊技台用台間機。
【請求項５】
請求項３または４において、
前記ガイドピンは、前記台間機ホルダから前方に突出する状態で当該台間機ホルダに取り付けられており、
前記ガイド穴は、前記制御器カバーの後端面部分に形成されている遊技台用台間機。
【請求項６】
請求項３ないし５のうちのいずれかの項において、
前記制御器カバーの開口端に形成した取り付け用の脚部分と、
前記脚部分に形成したねじ挿通穴と、
前記本体ケースの側面部分に形成したねじ穴と、
前記ねじ挿通穴を通して前記ねじ穴にねじ込み固定されている固定ねじとを有し、
前記ねじ挿通穴と前記固定ねじのクリアランスにより、前記制御器カバーが少なくとも上下方向にスライド可能となっている遊技台用台間機。
【請求項７】
請求項６において、
前記ねじ挿通穴に差し込まれている小径部分および前記ねじ挿通穴よりも大径の大径部分とを備えた円環状カラーを有し、
前記円環状カラーは、前記脚部分と前記固定ねじの頭部の間に挿入されている円環状カラーを有し、
当該円環状カラーは、前記ねじ挿通穴に差し込まれている小径部分と、前記ねじ挿通穴よりも大径の大径部分とを備え、
前記ねじ挿入穴と前記円環状カラーの前記小径部分のクリアランスにより、前記制御器カバーが少なくとも上下方向にスライド可能となっている遊技台用台間機。
【請求項８】
請求項６または７において、
前記ねじ挿通穴の内周面と前記固定ねじの脚部外周面の間、あるいは、前記ねじ挿通穴の内周面と前記円環状カラーにおける前記小径部分の外周面との間に、衝撃緩衝部材が配置されている遊技台用台間機。
【発明の詳細な説明】
【技術分野】
【０００１】
本発明は、パチンコ玉などの遊技媒体の貸し出しを行う遊技台用台間機に関するものである。さらに詳しくは、遊技島取付枠に固定された台間機ホルダに台間機本体を差し込むことにより、台間機ホルダ側の通信用のコネクタに台間機本体側の通信用のコネクタが差し込み固定された状態が形成される遊技台用台間機に関するものである。
【背景技術】
【０００２】
パチンコ台などの遊技台の間には、磁気カードやＩＣカードによりパチンコ玉などの遊技媒体を貸し出す台間機が設置されている。台間機は、遊技島を構成している遊技島取付枠に取り付けられた遊技台に隣接配置されており、遊技島取付枠に固定された台間機ホルダと、ここに前側から着脱可能な状態で差込固定された台間機本体から構成されている。この構造の台間機では、台間機ホルダの側に通信用の中継器が取り付けられており、台間機本体を台間機ホルダに差し込み固定する際に、台間機本体と台間機ホルダ側の中継器との配線接続作業も必要である。かかる配線接続作業を簡単に行うための機構として、台間機本体を台間機ホルダに差し込むと、台間機ホルダの中継器側のコネクタに台間機本体側のコネクタが自動的に差し込まれて配線接続状態が形成される機構（以下、プラグイン方式のコネクタ接続機構と呼ぶ。）が知られている。このような機構は例えば次の特許文献１に開示されている。
【特許文献１】特開２００２−１１２３８号公報
【発明の開示】
【発明が解決しようとする課題】
【０００３】
このプラグイン方式のコネクタ接続機構では、台間機ホルダおよび台間機本体の製造誤差、コネクタの取り付け位置の誤差、遊技島取付枠に対する台間機ホルダの取り付け位置の誤差などが原因となって、双方のコネクタの間に位置ずれが発生する。そこで、一方のコネクタを差し込み方向に直交する方向にスライド可能としておき、双方のコネクタの位置合わせを行う必要がある。
【０００４】
本発明の課題は、メンテナンスが容易であり、位置合わせのためにコネクタをスライドさせたことが原因となってケーブル断線などの弊害が発生することのないプラグイン方式のコネクタ接続機構を備えた遊技台用台間機を提案することにある。
【課題を解決するための手段】
【０００５】
本発明の遊技台用台間機は、
台間機ホルダと、
前記台間機ホルダに対して着脱可能な状態で背面側から差し込み固定されている台間機本体とを有し、
前記台間機ホルダは、通信用の中継器と、この中継器の中継基板に前向きに搭載されているホルダ側コネクタを備え、
前記台間機本体は、本体ケースと、この本体ケースに取り付けた台間機制御器と、この台間機制御器の制御基板に後向きに搭載されている本体側コネクタとを備え、
前記台間機制御器は、前記本体側コネクタの差し込み方向に直交する方向にスライド可能な状態で前記本体ケースに取り付けられており、
前記台間機本体を前記台間機ホルダに差し込むと、前記本体側コネクタが前記ホルダ側コネクタに差し込み固定された状態が形成されることを特徴としている。
【０００６】
本発明では、本体側コネクタが台間機制御器の制御基板に直接搭載され、ホルダ側コネクタが中継器の中継基板に直接搭載されている。したがって、各基板からケーブルを引き出してコネクタに接続する場合に比べて構造が簡単になり、製造コストを下げることができる。
【０００７】
また、台間機ホルダは遊技島取付枠に固定されているので、そこに搭載されているホルダ側コネクタのメンテナンスが困難である。これに対して、台間機本体は着脱可能となっているので、ここに搭載されている本体側コネクタのメンテナンスは容易である。本発明では、メンテナンスの必要度の高いスライド可能なコネクタを本体側コネクタとしてあるので、そのメンテナスが容易である。
【０００８】
さらに、台間機ホルダ側に搭載されている中継器の中継基板からは、遊技台との間に架け渡したインタフェースケーブル、紙幣搬送機構との間に架け渡した紙幣搬送ケーブル、各種のパルス出力用のケーブルなどが引き出されている。中継基板に搭載されているホルダ側コネクタをスライド可能にすると、すなわち、中継基板をスライド可能にすると、コネクタ位置合わせの際に中継基板に接続されているケーブルが断線するおそれがある。本発明では、ホルダ側コネクタを固定してあるので、コネクタの位置合わせ作業においてケーブルが断線することがない。
【０００９】
ここで、前記ホルダ側コネクタに対して前記本体側コネクタを位置合わせするためには、前記台間機ホルダおよび前記台間機本体の前記台間機制御器の一方にガイドピンを取り付け、他方にガイド穴を形成しておくことが望ましい。
【００１０】
また、本発明の前記台間機制御器は、一方の側面が開口となっている制御器カバーと、前記制御器カバーの開口を封鎖する状態に当該制御器カバーに取り付けられている前記制御基板と、前記本体側コネクタに対峙している前記制御器カバーの後端面部分に形成したコネクタ差し込み用開口部とを備え、前記制御器カバーが前記本体側コネクタの差し込み方向に直交する方向にスライド可能な状態で前記本体ケースに取り付けられていることを特徴としている。
【００１１】
ベースの上に制御基板を搭載し、この上からカバーを被せた構成の一般的な制御器とは異なり、本発明の台間機制御器ではベースが不要となり、制御器カバーのみを板金加工などにより製作すればよい。よって、台間機制御器を少ない部品点数で廉価に製造できる。
【００１２】
この場合、前記制御基板の裏面に樹脂製シートを積層配置し、前記樹脂製シートが外側となる状態で、これら樹脂製シートおよび制御基板を前記制御器カバーに取り付けることが望ましい。このようにすれば、制御基板の裏面が保護されているので、台間機制御器を独立した単一品として取り扱うことができ、取り付け、取り外し作業などが容易になる。
【００１３】
また、この場合には、位置合わせ用の前記ガイドピンを前記台間機ホルダから前方に突出する状態で当該台間機ホルダに取り付け、前記ガイド穴を前記制御器カバーの後端面部分に形成すればよい。
【００１４】
次に、制御器カバーをスライド可能な状態で本体ケースに取り付けるための構造として、前記制御器カバーの開口端に形成した取り付け用の脚部分と、前記本体ケースの側面部分に形成したねじ穴と、前記ねじ穴にねじ込まれ、前記脚部分を前記本体ケースの側面に固定している固定ねじとを備えたねじ止め機構を採用することができる。この機構では、前記脚部分に形成したねじ挿通穴と前記固定ねじのクリアランスにより、前記制御器カバーを少なくとも上下方向にスライド可能な状態で本体ケースに取り付けることができる。
【００１５】
ここで、固定ねじと脚部分の間に円環状カラーを挿入して、固定ねじによる押圧面積を確保することが望ましい。この場合には、円環状カラーに、前記ねじ挿通穴より大きな大径部分と、前記ねじ挿通穴に差し込まれている小径部分とを形成し、前記ねじ挿通穴内周面と前記小径部分の外周面のクリアランスにより、前記制御器カバーを少なくとも上下方向にスライド可能とすればよい。
【００１６】
また、コネクタ位置合わせのために制御器カバーをスライドさせた際に、ねじ挿通穴内周面に、固定ねじあるいは円環状カラーの小径部分が衝突すると、各部分が衝突時の衝撃力や振動によって損傷を受ける可能性がある。これを防止するためには、前記ねじ挿通穴内周面と前記固定ねじの脚部外周面の間、あるいは、前記ねじ挿通穴と前記円環状カラーの前記小径部分外周面との間に、衝撃緩衝部材を配置しておくことが望ましい。
【発明の効果】
【００１７】
本発明の遊技台用台間機では、台間機ホルダの中継基板にホルダ側コネクタを直接搭載し、台間機本体の制御基板に本体側コネクタを直接搭載すると共に、本体側コネクタを位置合わせのためにスライド可能としてある。したがって、各基板からケーブルを引き出して各コネクタに接続した構成のプラグイン方式のコネクタ接続機構に比べて、構造を簡素化でき、製造コストも下げることができる。また、本体側コネクタをスライド可能としてあるので、ホルダ側コネクタをスライド可能とした場合に比べて、メンテナンスが容易である。さらに、多数のケーブルが引き出されているホルダ側コネクタが固定されているので、コネクタの位置合わせ時にケーブルを断線させてしまう危険もないので、位置合わせ作業も容易になる。
【００１８】
次に、本発明では、本体側コネクタが搭載されている制御基板が内蔵されている台間機制御器を、側方が開口している制御器カバーに、当該開口を封鎖する状態に制御基板を取り付けた構成としてある。ベースに制御基板を取り付け、カバーによって覆うようにしている従来の制御器に比べてベースが不要となるので、台間機制御器を廉価に製造できる。また、制御器カバーの開口を封鎖している制御基板の裏面を樹脂ベースによって保護すれば、本体ケースに取り付ける前であっても独立した単体品として取り扱うことができる。よって、その取り扱いが容易になる。
【発明を実施するための最良の形態】
【００１９】
以下に、図面を参照して、本発明を適用した遊技台用台間機を備えた遊技システムを説明する。
【００２０】
（全体構成）
図１は本実施の形態に係る遊技システムを示す部分正面図である。本実施の形態に係る遊技システム１の基本的な構成は一般的なものであり、遊技島２を構成するための遊技島取付枠３と、この遊技島取付枠３に沿って取り付けられた複数の遊技ユニット４とを有している。各遊技ユニット４は、パチンコ台やスロット台などの遊技台５と、遊技台５の左側に隣接配置されている台間機（遊技台用台間機）６とを備えている。
【００２１】
（台間機）
図２（ａ）、（ｂ）および（ｃ）は台間機６の正面図、側面図および裏面図であり、図３は台間機ホルダから台間機本体を引き抜いた状態を示す側面図であり、図４は台間機本体の分解斜視図である。これらの図に示すように、台間機６は、遊技島取付枠３に固定されている台間機ホルダ１０と、この台間機ホルダ１０に対して前方から水平に差し込み固定可能な台間機本体２０から構成されている。
【００２２】
台間機ホルダ１０は、垂直に延びる前方に開口しているコの字状断面の縦枠１１と、この縦枠１１の上端から前方に水平に延び、下方に開口しているコの字状断面の上側水平ガイド枠１２と、縦枠１１の下端から前方に水平に延び、上方に開口しているコの字状断面の下側水平ガイド枠１３を備えている。また、縦枠１１の背面側表面に取り付けられた中継器１４と、下側水平ガイド枠１３に前側から水平に差し込まれて固定されている電源ユニット１５とを備えている。電源ユニット１５の上面に沿って、縦枠１１から前方に向けて水平に水平ガイド枠１６が延びており、上側水平ガイド枠１２と水平ガイド枠１６の間に、台間機本体２０が差し込まれる。
【００２３】
電源ユニット１５からは電源ケーブル１７が引き出されており、外部から電力が供給される。また、中継器１４には、電源ユニット１５から電源ケーブル１８を介して電力が供給される。一方、台間機本体２０は、本体ケース２１と、この本体ケース２１に内蔵されているカードリーダライタ２２、台間機制御器２３および紙幣識別機２４と、本体ケース２１の前面に取り付けられている前面パネル２５とを備えている。
【００２４】
ここで、中継器１４は、縦枠１１の背面に固定した取り付け板３１に取り付けられている中継基板３２と、中継基板３２を覆っている上下に長い箱型のカバー３３とを備えている。中継基板３２には前向き状態にホルダ側コネクタ３４が直接搭載されており、このホルダ側コネクタ３４が取り付け板３１および縦枠１１に形成した開口を通って前方に突出している。また、ホルダ側コネクタ３４の上下には取り付け板３１に取り付けたガイドピン３５、３６が前方に水平に突出している。これらのガイドピン３５、３６も、縦枠１１の背面に開けた開口を通って前方に突出している。さらに、中継基板３２には後向きに複数の外部通信用のコネクタ３７、３８、３９などが搭載されており、これらのコネクタが、カバー３３に形成した開口から後方に突出している。
【００２５】
これに対して、台間機本体２０の側の台間機制御器２３は本体ケース２１に対して上下方向にスライド可能に取り付けられており、その制御基板４１の後端部分には本体側コネクタ４２が後向きに直接搭載されている。本体側コネクタ４２の背面側に対峙している本体ケース２１の後端面部分には開口４３が形成され、ここを通ってホルダ側コネクタ３３を本体側コネクタ４２に接続可能となっている。また、開口４３の側方の上下にはピン穴４４、４５が形成されている。これらのピン穴４４、４５には、それぞれ、台間機ホルダ側の下側のガイドピン３５および上側のガイドピン３６を遊びのある状態で差込可能である。
【００２６】
（台間機制御器）
次に、図５は台間機制御器の側面図、裏面図およびＡ−Ａ線で切断した部分の断面図である。図４および図５を参照して説明すると、台間機本体２０の本体ケース２１は、台間機側方に開口している扁平なケース箱５１と、このケース箱５１の側方開口部を封鎖する状態に取り付けたケース蓋５２を組み合わせることにより構成されている。ケース箱５１の側板部分５３に側方からカードリーダライタ２２、台間機制御器２３および紙幣識別機２４がねじ止めされている。また、ケース箱５１の前板部分５４の前面に前面パネル２５がねじ止めされている。前面パネル２５は上側パネル５５と下側パネル５６から構成されている。
【００２７】
台間機制御器２３は、本体側コネクタ４２が搭載されている制御基板４１と、この制御基板４１を覆っている制御器カバー６１と、制御基板４１の裏面側を覆っている樹脂製のベースシート６２とを備えている。制御器カバー６１は、板金製品であり、台間機前後方向に僅かに長い矩形の側板部分６３と、この上下の縁をケース箱の側板部分５３の側に段状に折り曲げた上側端板部分６４および下側端板部分６５と、側板部分６３の前後の縁を同一方向に直角に折り曲げた前板部分６６および後板部分６７とを備えている。これらの上側端板部分６４、下側端板部分６５、前板部分６６および後板部分６７の縁端によって規定される開口部は、ここに装着した制御基板４１によって封鎖されている。制御基板４１の裏面（外側面）には樹脂製のベースシート６２が積層されており、この状態で、制御基板４１およびベースシート６２が、制御器カバー６１における上側端板部分６４および下側端板部分６５に対して、固定ねじ６８によって固定されている。制御器カバー６１の後板部分６７には、図５（ｂ）に示すように、本体側コネクタ４２に対峙した部分にコネクタ差込用の開口部６７ａと、ガイドピン３５、３６を差し込むためのガイド穴６９、７０が形成されている。これらのガイド穴６９、７０は、台間機本体２０の背面に形成したガイド穴４４、４５に対応する部位に形成されており、上側のガイド穴７０は上下方向に長い長穴とされている。
【００２８】
ここで、制御器カバー６１における上側端板部分６４の縁端における台間機前後方向の両端部分からは、台間機上方に向けて長方形の取り付け用の脚部７１、７２が延びている。同様に、下側端板部分６５の縁端における台間機前後方向の両端部分からも、台間機下方に向けて長方形の取り付け用の脚部７３、７４が延びている。これらの脚部７１〜７４の中心には上下方向に長い長円形のねじ挿通穴７１ａ〜７４ａが形成されている。各脚部７１〜７４に対応する本体ケース２１の側板部分５３には、当該側板部分５３を内側にプレスすることにより形成した平坦な取り付け面７５〜７８が形成され、各取り付け面７５〜７８の中心にはねじ穴７５ａ〜７８ａが形成されている。
【００２９】
制御器カバー６１の各脚部７１〜７４は、円環状カラー８１を介して、固定ねじ８２によって各取り付け面７５〜７８に固定されている。円環状カラー８１は、ねじ挿通穴７１ａ〜７４ａよりも大きな大径部分８１ａと、ねじ挿通穴７１ａ〜７４ａに差し込まれている小径部分８１ｂとを備えた形状とされ、中心には固定ねじ８２の脚部を差し通すことのできる挿通穴８１ｃが形成されている。さらに、各ねじ挿通穴７１ａ〜７４ａの内周面と、円環状カラー８１の小径部分８１ｂの外周面との間には、衝撃緩衝部材として機能するＯリング８３が挿入されている。
【００３０】
本例では、各ねじ挿通穴７１ａ〜７４ａは、円環状カラー８１の小径部分８１ｂの外径寸法より、少なくとも台間機上下方向に大きな寸法の上下方向に長い長穴である。したがって、これらのクリアランス分だけ、制御器カバー６１は本体ケース２１に対して、台間機上下方向にスライド可能である。台間機前後方向にスライド可能となるように、これらのクリアランスを設定してもよい。また、各取り付け用の脚部７１〜７４は、それらの根元側から先端側に向けて僅かに傾斜しており、取り付け面７５〜７８との間に僅かなクリアランスが生ずるようになっている。従って、制御器カバー６１は、本体ケース２１に対して、台間機左右方向にも僅かではあるが位置調整が可能である。
【００３１】
本例の台間機６において、台間機ホルダ１０に対して、その前方から台間機本体２０を水平に差し込むと、先端に向けて細くなっている台間機ホルダ１０側の上下のガイドピン３５、３６が台間機本体２０の背面に形成されている上下一対のピン穴４４、４５を通ってガイド穴６９、７０に差し込まれる。ガイド穴６９、７０が形成されている台間機制御器２３は、その制御器カバー６１が上下方向にスライド可能な状態で台間機本体２０の本体ケースに取り付けられている。また、左右方向にも僅かにスライド可能な状態となっている。
【００３２】
したがって、ガイドピン３５、３６がガイド穴６９、７０と同心状態でない場合には、ガイド穴６９、７０の側が上下左右にスライドして心合わせ状態が形成される。すなわち、台間機制御器２３が上下左右にスライドして心合わせ状態になる。これにより、中継基板１４のホルダ側コネクタ３４が、台間機本体２０の制御基板４１の本体側コネクタ４２に対して自動的に位置決めされる。よって、双方のコネクタ３４、４２を確実かつ円滑に嵌め合わせることができる。
【００３３】
このように構成されている本例の台間機６のプラグイン方式のコネクタ接続機構では、本体側コネクタ４２が台間機制御器２３の制御基板４１に直接搭載され、ホルダ側コネクタ３４が中継器１４の中継基板３２に直接搭載されている。したがって、各基板４１、３２からケーブルを引き出してコネクタ３４、４２に接続する場合に比べて構造が簡単になり、製造コストを下げることができる。
【００３４】
また、台間機ホルダ１０は遊技島取付枠に固定されているので、そこに搭載されているホルダ側コネクタ３４のメンテナンスが困難である。これに対して、台間機本体２０は着脱可能となっているので、ここに搭載されている本体側コネクタ４２のメンテナンスは容易である。本例では、メンテナンスの必要度の高いスライド可能なコネクタを本体側コネクタ４２としてあるので、そのメンテナスが容易である。
【００３５】
さらに、台間機ホルダ側に搭載されている中継器１４の中継基板３２からは、遊技台５との間に架け渡したインタフェースケーブル、紙幣搬送機構との間に架け渡した紙幣搬送ケーブル、各種のパルス出力用のケーブルなどが引き出されている。ホルダ側コネクタ３４が搭載されている中継基板３２の側をスライド可能にすると、コネクタ位置合わせのためにスライドさせた際に、これらのケーブルが断線するおそれがある。しかしながら、本例では、ホルダ側コネクタ３４の側が固定されているので、コネクタの位置合わせ作業においてケーブルが断線することがない。
【００３６】
また、台間機制御器２３は、一方の側面が開口となっている制御器カバー６１に対して、その開口を封鎖する状態に制御基板４１を取り付けた構成とされ、制御基板４１における露出側の表面が樹脂製のベースシート６２によって覆われている。従来の制御器は、ベースの上に制御基板を搭載し、この上からカバーを被せた構成とされているが、この構成とは異なり、制御基板を取り付けるためのベースが不要となり、制御器カバー６１のみを板金加工などにより製作すればよい。よって、台間機制御器２３を少ない部品点数で廉価に製造できる。また、台間機制御器２３を独立した単一品として取り扱うことができ、取り付け、取り外し作業などが容易である。
【００３７】
次に、本例では、制御器カバー６１をスライド可能な状態で本体ケース２１に取り付けるための構造として、制御器カバー６１を上下方向にスライド可能な状態で本体ケース２１に固定しているねじ止め機構を採用し、ねじ止め機構に衝撃力緩衝用のＯリング８３を配置してある。よって、コネクタの位置合わせ時に台間機制御器２３がスライドしても衝撃力が発生することを防止でき、制御基板搭載部品が損傷を受けるなどの弊害が発生しない。
【００３８】
なお、本例ではガイドピン３５、３６を台間機ホルダ側に取り付け、ガイド穴６９、７０を台間機本体側の台間機制御器２３に形成してある。逆に、ガイドピンを台間機本体側の台間機制御器２３に取り付け、ガイド穴を台間機ホルダ側に形成することも可能である。
【図面の簡単な説明】
【００３９】
【図１】本発明を適用した遊技システムを示す部分正面図である。
【図２】図１の遊技システムの台間機の正面図、側面図および裏面図である。
【図３】図２の台間機における台間機ホルダから台間機本体を引き抜いた状態を示す側面図である。
【図４】図２の台間機の分解斜視図である。
【図５】図２の台間機に内蔵されている台間機制御器の側面図、裏面図およびＡ−Ａ線で切断した部分の断面図である。
【符号の説明】
【００４０】
１    遊技システム
２    遊技島
３    遊技島取り付け枠
４    遊技ユニット
５    遊技台
６    台間機（遊技台用台間機）
１０  ホルダ
１４  中継器
２０  台間機本体
２１  本体ケース
２２  電源ユニット
２３  台間機制御器
３２  中継基板
３４  ホルダ側コネクタ
３５、３６  ガイドピン
４１  制御基板
４２  本体側コネクタ
６１  制御器カバー
６２  ベースシート
７１〜７４  脚部分
７１ａ〜７４ａ  ねじ挿通穴
７５〜７８  取り付け面
７５ａ〜７８ａ  ねじ穴
８１  円環状カラー
８１ａ  大径部分
８１ｂ  小径部分
８３  Ｏリング
【図１】
2005342236.tif 000003
【図２】
2005342236.tif 000004
【図３】
2005342236.tif 000005
【図４】
2005342236.tif 000006
【図５】
2005342236.tif 000007